(57)【要約】【課題】入力装置を通じたユーザの入力操作の効率性を向上させたディスプレイ装置を提供する。【解決手段】ディスプレイ部と；映像信号をディスプレイ部に映像で表示されるように処理する映像処理部と；ボタン及びタッチパッドを含む入力装置と通信する通信部と；入力装置からボタン操作を通じる第１入力に対応する信号が受信されると、ボタンに対応するディスプレイ装置の現在設定状態に関する第１アイテムがディスプレイ部に表示され、第１入力に対応する信号に続いて入力装置からタッチパッドを通じる第２入力に対応する信号が受信されると現在設定状態を変更するために選択可能な少なくとも一つ以上の第２アイテムがディスプレイ部に表示されるように映像処理部を制御する制御部と；を含む。【選択図】図３
2013143774.tif 000002
【特許請求の範囲】
【請求項１】
ディスプレイ装置において、
ディスプレイ部と；
映像信号を前記ディスプレイ部に映像で表示されるように処理する映像処理部と；
ボタン及びタッチパッドを含む入力装置と通信する通信部と；
前記入力装置から前記ボタン操作を通じる第１入力に対応する信号が受信されると、前記ボタンに対応する前記ディスプレイ装置の現在設定状態に関する第１アイテムが前記ディスプレイ部に表示され、前記第１入力に対応する信号に続いて前記入力装置から前記タッチパッドを通じる第２入力に対応する信号が受信されると前記現在設定状態を変更するために選択可能な少なくとも一つ以上の第２アイテムが前記ディスプレイ部に表示されるように前記映像処理部を制御する制御部と；を含むことを特徴とするディスプレイ装置。
【請求項２】
前記制御部は、前記第２アイテムが表示されている時にユーザによって前記タッチパッド上のドラッグ動作が行われると、前記ドラッグ動作に対応して前記第１アイテム及び少なくとも一つ以上の前記第２アイテムの中でいずれか一つに対する選択状態を転換させて表示することを特徴とする請求項１に記載のディスプレイ装置。
【請求項３】
前記制御部は、前記第１アイテム及び少なくとも一つ以上の前記第２アイテムの中でいずれか一つが選択されれば、前記選択されたアイテムに対応して既に設定された前記ディスプレイ装置の制御動作を行うことを特徴とする請求項２に記載のディスプレイ装置。
【請求項４】
前記制御部は、ユーザによって、前記ボタンが操作される間に前記第１アイテムの表示状態を維持させることを特徴とする請求項１に記載のディスプレイ装置。
【請求項５】
前記第２入力は、前記タッチパッドに対する前記ユーザのタッチ動作を通じて行われることを特徴とする請求項１に記載のディスプレイ装置。
【請求項６】
ディスプレイ装置の制御方法において、
ボタン及びタッチパッドを含む入力装置と通信する段階と；
前記入力装置から前記ボタンの操作を通じた第１入力に対応する信号を受信すれば前記ボタンに対応する前記ディスプレイ装置の現在設定状態に関する第１アイテムを表示する段階と；
前記第１入力に対応する信号に続いて前記入力装置から前記タッチパッドを通じる第２入力に対応する信号が受信されると前記現在設定状態を変更するために選択可能な少なくとも一つ以上の第２アイテムを表示する段階と；を含むことを特徴とするディスプレイ装置の制御方法。
【請求項７】
前記第２アイテムを表示する段階は、前記第２アイテムが表示されている時にユーザによって前記タッチパッド上のドラッグ動作が行われると、前記ドラッグ動作に対応して前記第１アイテム及び少なくとも一つ以上の前記第２アイテムの中でいずれか一つに対する選択状態を転換させて表示する段階を含むことを特徴とする請求項６に記載のディスプレイ装置の制御方法。
【請求項８】
前記第１アイテム及び少なくとも一つ以上の前記第２アイテムの中でいずれか一つに対する選択状態を転換させて表示する段階は、前記第１アイテム及び少なくとも一つ以上の前記第２アイテムの中でいずれか一つが選択されれば、前記選択されたアイテムに対応して既に設定された前記ディスプレイ装置の制御動作を行う段階を含むことを特徴とする請求項７に記載のディスプレイ装置の制御方法。
【請求項９】
前記第１アイテムを表示する段階は、ユーザによって前記ボタンが操作される間に前記第１アイテムの表示状態が維持される段階を含むことを特徴とする請求項６に記載のディスプレイ装置の制御方法。
【請求項１０】
前記第２入力は、前記タッチパッドに対する前記ユーザのタッチ動作を通じて行われることを特徴とする請求項６に記載のディスプレイ装置の制御方法。
【請求項１１】
ディスプレイ装置の入力装置において、
ボタン及びタッチパッドを含む入力部と；
前記ディスプレイ装置と通信する通信部と；
前記ボタンの操作に従って第１入力が行われると前記ボタンに対応する前記ディスプレイ装置の現在設定状態に関する第１アイテムが前記ディスプレイ装置に表示されるように前記第１入力に対応する信号を前記通信部を通じて送信し、前記第１入力に続いて前記タッチパッドを通じる第２入力が行われると前記現在設定状態を変更するために選択可能な少なくとも一つ以上の第２アイテムが前記ディスプレイ装置に表示されるように前記第２入力に対応する信号を前記第１入力に対応する信号に続いて前記通信部を通じて送信する制御部と；を含むことを特徴とする入力装置。
【請求項１２】
ディスプレイシステムにおいて、
ディスプレイ装置と；
ボタン及びタッチパッドを含み、前記ボタン又は前記タッチパッドの操作に従って前記ディスプレイ装置の動作制御のための既に設定された制御信号を送信する入力装置を含み、
前記ボタンの操作による第１入力に従って前記ボタンに対応する前記ディスプレイ装置の現在設定状態に関する第１アイテムが前記ディスプレイ装置に表示され、前記第１入力に続く前記タッチパッドを通じた第２入力に従って前記現在設定状態を変更するために選択可能な少なくとも一つ以上の第２アイテムが前記ディスプレイ装置に表示されることを特徴とするディスプレイシステム。
【発明の詳細な説明】
【技術分野】
【０００１】
本発明は、映像信号を処理して、映像を表示するディスプレイ装置及びその制御方法、入力装置、ディスプレイシステムに係り、詳しくは、ユーザが入力装置を操作することによってディスプレイ装置で映像の表示形態を制御する構造のディスプレイ装置及びその制御方法、入力装置、ディスプレイシステムに関する。
【背景技術】
【０００２】
一般的に、ディスプレイ装置は、外部の映像供給源から入力されたり、又は自体に保存されている映像信号映像データを処理して、ディスプレイ部に映像として表示する装置である。一般ユーザに提供されるディスプレイ装置は、ＴＶ又はモニター等で具現され、例えば、ＴＶで具現されたディスプレイ装置は、外部から受信される放送信号をチューニング、デコーディング等のような多様なプロセスを通じてユーザの望む放送チャンネルの映像を提供する。
【０００３】
ディスプレイ装置は、提供する映像に対する処理方法を含む多様な機能に対して、該当機能をユーザが任意で設定することができるようにする入力装置を備える。このような入力装置は、ディスプレイ装置の外側に設けられたり、又はディスプレイ装置と分離された別途の装置で具現されることができ、後者としてはリモートコントローラー（ｒｅｍｏｔｅ  ｃｏｎｔｒｏｌｌｅｒ）を例えることができる。
【０００４】
ここで、入力装置のユーザの操作性を考慮して、多様な形態の入力部を有することができるので、例えば、入力部はユーザによって加圧又はトグル（ｔｏｇｇｌｅ）される複数のキー（ｋｅｙ）／ボタン（ｂｕｔｔｏｎ）を含む。ユーザがこのようなボタンを操作すれば、入力装置は該当ボタンに対応する制御信号を生成してディスプレイ装置に送信する。これによって、ディスプレイ装置は、入力装置から受信される制御信号に対応するように既に設定された制御動作を行う。
【発明の概要】
【発明が解決しようとする課題】
【０００５】
従って、本発明の目的は、入力装置を通じたユーザの入力操作の効率性を向上させたディスプレイ装置を提供することを目的とする。
【課題を解決するための手段】
【０００６】
本発明の実施形態によるディスプレイ装置は、ディスプレイ部と；映像信号を前記ディスプレイ部に映像で表示されるように処理する映像処理部と；ボタン及びタッチパッドを含む入力装置と通信する通信部と；前記入力装置から前記ボタン操作を通じる第１入力に対応する信号が受信されると、前記ボタンに対応する前記ディスプレイ装置の現在設定状態に関する第１アイテムが前記ディスプレイ部に表示され、前記第１入力に対応する信号に続いて前記入力装置から前記タッチパッドを通じる第２入力に対応する信号が受信されると前記現在設定状態を変更するために選択可能な少なくとも一つ以上の第２アイテムが前記ディスプレイ部に表示されるように前記映像処理部を制御する制御部と；を含むことを特徴とする。
【０００７】
ここで、前記制御部は、前記第２アイテムが表示されている時にユーザによって前記タッチパッド上のドラッグ動作が行われると、前記ドラッグ動作に対応して前記第１アイテム及び少なくとも一つ以上の前記第２アイテムの中でいずれか一つに対する選択状態を転換させて表示することができる。
【０００８】
ここで、前記制御部は、前記第１アイテム及び少なくとも一つ以上の前記第２アイテムの中でいずれか一つが選択されれば、選択されたアイテムに対応して既に設定された前記ディスプレイ装置の制御動作を行うことができる。
【０００９】
また、前記制御部は、ユーザによって、前記ボタンが操作される間に前記第１アイテムの表示状態を維持させることができる。
【００１０】
また、前記第２入力は、前記タッチパッドに対する前記ユーザのタッチ動作を通じて行われることができる。
【００１１】
また、本発明の実施形態によるディスプレイ装置の制御方法は、ボタン及びタッチパッドを含む入力装置と通信する段階と；前記入力装置から前記ボタンの操作を通じた第１入力に対応する信号を受信すれば前記ボタンに対応する前記ディスプレイ装置の現在設定状態に関する第１アイテムを表示する段階と；前記第１入力に対応する信号に続いて前記入力装置から前記タッチパッドを通じる第２入力に対応する信号が受信されると前記現在設定状態を変更するために選択可能な少なくとも一つ以上の第２アイテムを表示する段階と；を含むことを特徴とする。
【００１２】
ここで、前記第２アイテムを表示する段階は、前記第２アイテムが表示されている時にユーザによって前記タッチパッド上のドラッグ動作が行われると、前記ドラッグ動作に対応して前記第１アイテム及び少なくとも一つ以上の前記第２アイテムの中でいずれか一つに対する選択状態を転換させて表示する段階を含むことができる。
【００１３】
ここで、前記第１アイテム及び少なくとも一つ以上の前記第２アイテムの中でいずれか一つに対する選択状態を転換させて表示する段階は、前記第１アイテム及び少なくとも一つ以上の前記第２アイテムの中でいずれか一つが選択されれば、前記選択されたアイテムに対応して既に設定された前記ディスプレイ装置の制御動作を行う段階を含むことができる。
【００１４】
また、前記第１アイテムを表示する段階は、ユーザによって、前記ボタンが操作される間に前記第１アイテムの表示状態が維持される段階を含むことができる。
【００１５】
また、前記第２入力は前記タッチパッドに対する前記ユーザのタッチ動作を通じて行われることができる。
【００１６】
また、本発明の実施形態によるディスプレイ装置の入力装置は、ボタン及びタッチパッドを含む入力部と；前記ディスプレイ装置と通信する通信部と；前記ボタンの操作に従って第１入力が行われると前記ボタンに対応する前記ディスプレイ装置の現在設定状態に関する第１アイテムが前記ディスプレイ装置に表示されるように前記第１入力に対応する信号を前記通信部を通じて送信し、前記第１入力に続いて前記タッチパッドを通じる第２入力が行われると前記現在設定状態を変更するために選択可能な少なくとも一つ以上の第２アイテムが前記ディスプレイ装置に表示されるように前記第２入力に対応する信号を前記第１入力に対応する信号に続いて前記通信部を通じて送信する制御部と；を含むことを特徴とする。
【００１７】
また、本発明の実施形態によるディスプレイシステムは、ディスプレイ装置と；ボタン及びタッチパッドを含み、前記ボタン又は前記タッチパッドの操作に従って前記ディスプレイ装置の動作制御のための既に設定された制御信号を送信する入力装置を含み、前記ボタンの操作による第１入力に従って前記ボタンに対応する前記ディスプレイ装置の現在設定状態に関する第１アイテムが前記ディスプレイ装置に表示され、前記第１入力に続く前記タッチパッドを通じた第２入力に従って前記現在設定状態を変更するために選択可能な少なくとも一つ以上の第２アイテムが前記ディスプレイ装置に表示されることを特徴とする。
【発明の効果】
【００１８】
ボタン及びタッチパッドを含む入力装置を通じるユーザの入力操作の効率性を向上させたディスプレイ装置を提供することができる。
【図面の簡単な説明】
【００１９】
【図１】本発明の実施形態によるディスプレイシステムの例示図である。
【図２】図１のディスプレイシステムの構成ブロック図である。
【図３】図１のディスプレイシステムで、入力装置の操作に従ってディスプレイ装置でチャンネルを変更する過程を示す順序図である。
【図４】図１のディスプレイシステムで、入力装置のボタンが加圧されることによって表示される第１ＵＩ映像の例示図である。
【図５】図４のように第１ＵＩ映像が表示された状態でタッチパッドのタッチに従って表示される第２ＵＩ映像の例示図である。
【図６】図５のように第２ＵＩ映像が表示された状態でタッチパッドのドラッグに従ってアイテム選択が転換されることを示す例示図である。
【図７】図１のディスプレイシステムで、入力装置のボタンがトグルされることによって表示される第１ＵＩ映像の他の実施形態による例示図である。
【図８】図７のように第１ＵＩ映像が表示された状態でユーザがボタンを再びトグルした場合に第１ＵＩ映像の変化を示す例示図である。
【図９】図８のように第１ＵＩ映像が表示された状態でユーザがタッチパッドをタッチした場合に表示される第２ＵＩ映像の例示図である。
【発明を実施するための形態】
【００２０】
以下、添付図面を参照して本発明を詳しく説明する。以下の実施形態では、本発明の思想と直接的に関連のある構成に関してだけ説明し、その他の構成に関しては説明を省略する。しかし、本発明の思想が適用された装置またはシステムを具現することにおいて、このように説明が省略された構成が不必要を意味することではないことを明らかにする。
【００２１】
図１は、本発明の実施形態によるディスプレイシステム１の例示図である。
【００２２】
図１に示すように、本実施形態によるディスプレイシステム１は、映像信号を既に設定された映像処理プロセスに従って処理して映像で表示するディスプレイ装置１００と、ディスプレイ装置１００の多様な動作を遠隔で制御できるように既に設定されたコマンド（ｃｏｍｍａｎｄ）／データ（ｄａｔａ）／情報／信号を生成してディスプレイ装置１００に送信する入力装置２００と、を含む。
【００２３】
本実施形態で、ディスプレイ装置１００は、外部の映像供給源（図示せず）から受信されたり又は自体に保存されている映像信号／映像データ／映像情報に基づいて自体で映像を表示可能なＴＶで具現され、入力装置２００は、リモートコントローラーで具現される。
【００２４】
しかし、本発明の思想は、このような具現例示と異なるディスプレイ装置１００の構造、例えば、ディスプレイ装置１００がコンピュータ本体（図示せず）に接続されたモニターであり、入力装置２００が該当コンピュータ本体（図示せず）と通信するシステムの場合にも適用されることができる。即ち、以下説明する実施形態は、システムの具現方式に従って多様に変更適用される一つの例示に過ぎず、本発明の思想を限定することではないことを明らかにする。
【００２５】
ディスプレイ装置１００が表示可能な映像の種類は限られず、例えば、ディスプレイ装置１００は、動画、停止映像、アプリケーション（ａｐｐｌｉｃａｔｉｏｎ）、ＯＳＤ（ｏｎ−ｓｃｒｅｅｎ  ｄｉｓｐｌａｙ）、多様な動作制御のためのＧＵＩ（ｇｒａｐｈｉｃａｌ  ｕｓｅｒ  ｉｎｔｅｒｆａｃｅ）等の映像を表示することができる。
【００２６】
入力装置２００は、ディスプレイ装置１００と無線通信が可能であり、ユーザによって操作される外部装置としてユーザによって把持される。入力装置２００は、ユーザの操作に対応するように既に設定されたコマンド又は制御信号をディスプレイ装置１００に送信する。ここで、入力装置２００は、このようなコマンドを生成するようにユーザの操作が行われる多様な形態の入力部２１０、２２０を含むことができる。本実施形態によれば、入力部２１０、２２０は、ユーザによって加圧又はトグル（ｔｏｇｇｌｅ）操作されるボタン２１０と、ユーザによってタッチされるタッチパッド（ｔｏｕｃｈ−ｐａｄ）２２０と、を含む。
【００２７】
入力装置２００は、ボタン２１０又はタッチパッド２２０に対するユーザの操作形態に対応して多様な既に設定されたコマンドを生成し、この生成されたコマンドをディスプレイ装置１００に送信する。ディスプレイ装置１００は、入力装置２００から受信されるコマンドに対応する制御動作を行う。
【００２８】
以下、ディスプレイ装置１００及び入力装置２００の具体的な構成に関して図２を参照して説明する。図２は、ディスプレイ装置１００及び入力装置２００の構成ブロック図である。
【００２９】
図２に示すように、ディスプレイ装置１００は、映像信号を受信する映像受信部１１０と、映像受信部１１０に受信される映像信号を処理する映像処理部１２０と、映像処理部１２０により処理される映像信号を映像で表示するディスプレイ部１３０と、入力装置２００と通信する第１通信部１４０と、ディスプレイ装置１００の諸般の構成の動作を制御する第１制御部１５０と、を含む。
【００３０】
一方、入力装置２００は、ユーザによって操作されるボタン２１０及びタッチパッド２２０を含む入力部２１０、２２０と、ディスプレイ装置１００の第１通信部１４０と通信する第２通信部２３０と、入力装置２００の諸般構成の動作を制御する第２制御部２４０と、を含む。
【００３１】
以下、ディスプレイ装置１００に含まれる構成に対して具体的に説明する。
【００３２】
映像受信部１１０は、映像供給源（図示せず）から有線／無線で映像信号を受信して映像処理部１２０に伝達し、受信する映像信号の規格及びディスプレイ装置１００の具現方式に対応して多様な方式を有する。例えば、映像受信部１１０は、ＨＤＭＩ（ｈｉｇｈ  ｄｅｆｉｎｉｔｉｏｎ  ｍｕｌｔｉｍｅｄｉａ  ｉｎｔｅｒｆａｃｅ）規格に従ってデジタル映像信号を受信したり、ストリーミングサーバー（図示せず）からの映像データパケットストリームを受信することができる。
【００３３】
映像処理部１２０は、映像受信部１１０から受信される映像信号に対して既に設定された多様な映像処理プロセスを行う。映像処理部１２０は、このようなプロセスを行った映像信号をディスプレイ部１３０に出力することによって、ディスプレイ部１３０に該当映像信号に基づく映像が表示されるようにする。
【００３４】
映像処理部１２０が行う映像処理プロセスの種類は限られず、例えば、映像信号の映像フォーマットに対応するデコーディング（ｄｅｃｏｄｉｎｇ）、インターレース（ｉｎｔｅｒｌａｃｅ）方式の映像信号をプログレッシブ（ｐｒｏｇｒｅｓｓｉｖｅ）方式で変換するディ−インタレーシング（ｄｅ−ｉｎｔｅｒｌａｃｉｎｇ）、映像信号を既に設定された解像度で調整するスケーリング（ｓｃａｌｉｎｇ）、映像画質改善のためのノイズ減少（ｎｏｉｓｅ  ｒｅｄｕｃｔｉｏｎ）、ディテール強化（ｄｅｔａｉｌ  ｅｎｈａｎｃｅｍｅｎｔ）、フレームリフレッシュレート（ｆｒａｍｅ  ｒｅｆｒｅｓｈ  ｒａｔｅ）変換等を含むことができる。
【００３５】
映像処理部１２０は、色々な機能を統合させたＳＯＣ（ｓｙｓｔｅｍ−ｏｎ−ｃｈｉｐ）、又はこのような各プロセスを独自に行うことができる個別の構成が印刷回路基板上に装着されることによって映像処理ボード（図示せず）で具現される。
【００３６】
ディスプレイ部１３０は、映像処理部１２０から出力される映像信号に基づいて映像を表示する。ディスプレイ部１３０の具現方式は限られず、液晶（ｌｉｑｕｉｄ  ｃｒｙｓｔａｌ）、プラズマ（ｐｌａｓｍａ）、発光ダイオード（ｌｉｇｈｔ−ｅｍｉｔｔｉｎｇ  ｄｉｏｄｅ）、有機発光ダイオード（ｏｒｇａｎｉｃ  ｌｉｇｈｔ−ｅｍｉｔｔｉｎｇ  ｄｉｏｄｅ）、表面伝導型電子放出素子（ｓｕｒｆａｃｅ−ｃｏｎｄｕｃｔｉｏｎ  ｅｌｅｃｔｒｏｎ−ｅｍｉｔｔｅｒ）、炭素ナノチューブ（ｃａｒｂｏｎ  ｎａｎｏ−ｔｕｂｅ）、ナノクリスタル（ｎａｎｏ−ｃｒｙｓｔａｌ）等の多様なディスプレイ方式で具現されることができる。
【００３７】
ディスプレイ部１３０は、その具現方式に従って付加的な構成を追加的に含むことができる。例えば、ディスプレイ部１３０が液晶方式である場合、ディスプレイ部１３０は、液晶ディスプレイパネル（図示せず）と、これに光を供給するバックライトユニット（図示せず）と、パネル（図示せず）を駆動させるパネル駆動基板（図示せず）と、を含む。
【００３８】
第１通信部１４０は、入力装置２００から受信されるコマンド／データ／情報／信号を第１制御部１５０に伝達する。本実施形態で第１通信部１４０は、入力装置２００からの信号を受信する単方向通信例に対してだけ説明したが、第１通信部１４０は第１制御部１５０から伝達されたコマンド／データ／情報／信号を入力装置２００に送信することもできる。このような場合、第１通信部１４０は、ディスプレイ装置１００及び入力装置２００の間の両方向通信を具現させるためにＲＦ（ｒａｄｉｏ  ｆｒｅｑｕｅｎｃｙ）、ジグビー（Ｚｉｇｂｅｅ（登録商標））、ブルートゥース等の無線通信規格に従う。
【００３９】
第１制御部１５０は、第１通信部１４０に受信されるコマンドに対応してディスプレイ装置１００の動作を制御する。例えば、第１制御部１５０は、第１通信部１４０を通じて入力装置２００から既に設定されたコマンドが受信されると、このコマンドに対応して、映像処理動作が行われるように映像処理部１２０を制御する。本実施形態では、制御部１５０及び映像処理部１２０が別個の構成で表示されるが、制御部１５０及び映像処理部１２０は一つの映像処理ボード（図示せず）で具現されることもできる。
【００４０】
以下、入力装置２００に含まれる構成を具体的に説明する。
【００４１】
ボタン２１０は、入力装置２００の外側に一つ以上が設けられる。ボタン２１０は、ユーザによって、加圧されることによって第２制御部２４０に対して対応信号を送信し、これによって、第２制御部２４０がボタン２１０の加圧又はトグル可否を判断することができるようにする。ボタン２１０は、その具現例が限られず、例えば、機械的又は電子的構造のスイッチで具現されることができる。
【００４２】
タッチパッド２２０は、入力装置２００の外側にユーザによってタッチ可能に設けられる。タッチパッド２２０は、自体の板面上の所定の位置で発生するユーザによるタッチ動作と、タッチ以後に所定方向及び距離で進行されたユーザのドラッグ（ｄｒａｇ）動作等のようなユーザの操作形態に従って第２制御部２４０に対して対応情報を送信する。このような対応情報は、タッチ動作に対応するタッチ位置の座標や、ドラッグ動作に対応する移動方向及び移動量情報等を含む。
【００４３】
タッチパッド２２０は、板面上をタッチする位置を感知するために多様な構成が適用されることができるので、加圧力を感知する減圧式や、又は電荷値の変化を感知する静電式等が適用されることができる。
【００４４】
第２通信部２３０は、第２制御部２４０から伝達される制御信号又はコマンドを第１通信部１４０に送信する。このために第２通信部２３０は、第１通信部１４０に対応する通信プロトコルに従って設けられる。第２通信部２３０は、第１通信部１４０に対する一方向送信だけでなく、第１通信部１４０との間に両方向通信が行われるようにすることができる。
【００４５】
第２制御部２４０は、ボタン２１０又はタッチパッド２２０を通じてユーザの操作が発生すれば、該当ボタン２１０又はタッチパッド２２０を通じる入力動作に対応する制御信号を生成する。第２制御部２４０は、生成した制御信号を第２通信部２３０に送信することによって、ディスプレイ装置１００が該当制御信号に対応する制御動作を行う。
【００４６】
このような構造によって、ディスプレイシステム１は、次のような構成の映像表示制御方法を提供する。
【００４７】
ディスプレイ装置１００は、放送チャンネルの選択、又は映像表示モードのような多様な動作機能を提供し、このような機能に対するＵＩ（ｕｓｅｒ  ｉｎｔｅｒｆａｃｅ）映像を表示することができる。このようなＵＩ映像は、該当機能の設定を指定する少なくとも一つのアイテムを含み、ＵＩ映像が表示された状態でユーザは入力装置２００を通じていずれか一つのアイテムを選択することができる。ディスプレイ装置１００は、選択されたアイテムに対応する設定値で該当機能の設定状態の変更を適用する。
【００４８】
ここで、アイテムは、ＵＩ映像内に少なくとも一つ以上が含まれ、ユーザが入力装置２００を通じて選択可能に設けられたオブジェクト（ｏｂｊｅｃｔ）として、各アイテムはディスプレイ装置１００が提供する多様な機能、サービス等に関するそれぞれの設定状態に対応するように設けられる。ユーザがＵＩ映像内でいずれか一つアイテムを選択し該当選択を決めれば、ディスプレイ装置１００はディスプレイ装置１００の現在状態から、選択されたアイテムに対応するように既に設定された設定状態に移行する。
【００４９】
具体的に例えば、ＵＩ映像が放送チャンネルリストである場合、ＵＩ映像内の各アイテムは、有効放送チャンネル番号に各々対応する。ユーザが放送チャンネルリストの中でいずれか一つのアイテムを選択すれば、ディスプレイ装置１００は、選択されたアイテムに対応する放送チャンネル番号の映像を表示する。
【００５０】
ユーザが入力装置２００を通じてディスプレイ装置１００のＵＩ映像表示を制御する一般的な方法は、入力装置２００のボタン２１０とタッチパッド２２０に対するユーザの操作を区分する。例えば、ディスプレイ装置１００はボタン２１０を通じてディスプレイ装置１００の所定機能が呼び出されれば該当機能に関する映像を表示し、ユーザはタッチパッド２２０を使用して該当映像内で例えば、ポインタの移動を制御する方法が可能である。
【００５１】
しかし、このような場合には、ボタン２１０とタッチパッド２２０との間の連係操作がないのでタッチパッド２２０の活用範囲が制限的でありうる。従って、本実施形態によれば、物理的又は機械的構成のボタン２１０の特性と、ユーザが表面上をタッチして移動する等のドラッグ動作が可能なタッチパッド２２０の特性を組み合わせて、ユーザによって操作される入力装置２００の入力効率を向上させることができる。
【００５２】
以下、本実施形態によるディスプレイ装置１００及び入力装置２００の動作方法に関し説明する。
【００５３】
ユーザが入力装置２００で所定の物理的なボタン２１０を押すと、該当ボタン２１０によって動作される機能は、簡略（ｂｒｉｅｆ）動作とフル（ｆｕｌｌ）動作で構成され、該当機能は映像又はコンテンツを探索したり又は設定値を調整することを特徴とする。
【００５４】
ボタン２１０が押されることによって、ディスプレイ装置１００は、簡略なビジュアルユーザインターフェース（ｖｉｓｕａｌ  ｕｓｅｒ  ｉｎｔｅｒｆａｃｅ）要素、即ち、ＵＩ映像を表示する。
【００５５】
このようなユーザインターフェース要素が表示された状態でユーザがタッチパッド２２０をタッチする場合、該当ユーザインターフェース要素がさらに拡張されて表示されることによって、ユーザがさらに積極的で豊富に使用できる環境が提供される。
【００５６】
例えば、ボタン２１０の操作時にユーザインターフェース要素内で一つのアイテムだけ表示され、ボタン２１０のトグルに従って以前又は次のアイテムにだけ移動可能ならば、タッチパッド２２０をタッチすればユーザインターフェース要素内で全てのアイテムが表示される。
【００５７】
又は、一つのボタン２１０を反復的に押してトグル動作を行うことが特徴の機能のユーザインターフェース要素が表示された状態で、ユーザがタッチパッド２２０をタッチすればトグルされる全体値を表示して、単方向でない両方向にフォーカス又はカーソルを移動させて望む値にさらに簡単に接近することができる。
【００５８】
このようなフルユーザインターフェース要素が表示された状態で、ユーザはタッチパッド２２０をドラッグして該当要素をスクロールしたり又は値を変更し、又はタップ動作を通じてアイテムや値を選択することができる。
【００５９】
ユーザがボタン２１０を押す動作を消極的な操作と、ユーザがタッチパッド２２０をタッチ又はドラッグする動作を積極的な操作と、区分すれば、ユーザの動機水準が低い場合には消極的な操作の単純な操作を好む傾向を見える。この場合に、ディスプレイ装置１００は、動機水準に合うように単純で簡略なユーザインターフェースを提供する。
【００６０】
しかし、ユーザの動機水準が高い場合にはユーザがディスプレイ装置１００に対して積極的に探索又は設定しようとするので、この場合にディスプレイ装置１００は、多少複雑でもユーザの望む目的をより効果的に達成できるユーザインターフェースを提供して、ユーザに満足を与えることができる。
【００６１】
以上説明した動作構成を整理すれば、本実施形態によるディスプレイ装置１００及び入力装置２００は、次のように動作する。
【００６２】
ディスプレイ装置１００は、入力装置２００のボタン２１０が押されると、該当ボタンに対応するように設けられた簡略化されたグラフィックユーザインターフェース要素を表示し、入力装置２００のタッチパッド２２０がタッチされれば前記表示された簡略化されたグラフィックユーザインターフェース要素を拡張させて表示する。ここで、拡張されたインターフェース要素はユーザがタッチパッド２２０を利用して制御又は調整が可能である。
【００６３】
ディスプレイ装置１００は、前記のように簡略化されたグラフィックユーザインターフェース要素が拡張される動作の条件において、ボタン２１０の入力後にディスプレイ部１３０に簡略化されたグラフィックユーザインターフェース要素が表示された状態に限って、動作するようにすることによって、エラーを防止することができる。
【００６４】
また、入力装置２００は、二つのペア（ｐａｉｒ）を成すボタン２１０、例えば、四方向のカーソルキーの中で、上側移動キー及び下側移動キー、又は左側移動キー及び右側移動キーを含むことができる。このように、二つのペアを成すボタン２１０を押して、以前又は次のコンテンツを探索することを特徴とする機能で、ディスプレイ装置１００は、該当ボタン２１０が押されると、コンテンツ転換と同時にコンテンツに関するグラフィック要素を表示した後、タッチパッド２２０がタッチされると、拡張されたコンテンツ目録を表示してコンテンツを探索するように提供する。
【００６５】
また、所定の値を増減させるように二つのペアを成すボタン２１０が押されるとディスプレイ装置１００は設定された値が表示されたグラフィック要素を表示し、以後タッチパッド２２０が操作されれば所定の拡張されたグラフィックユーザインターフェースを表示して値を調整可能に提供する。
【００６６】
また、同じボタン２１０を反復的に押して値を変換することを特徴とする機能で、該当ボタン２１０が押されるとディスプレイ装置１００はディスプレイ装置１００に設定された現在値を表現するグラフィック要素を表示し、以後タッチパッド２２０がタッチされると、全体値の目録を表示しユーザがタッチパッド２２０を利用して値を変更することができるように提供する。
【００６７】
以下、本発明の実施形態に対して具体的に説明する。
【００６８】
本実施形態によるディスプレイ装置１００は、入力装置２００からボタン２１０操作による第１入力に対応する信号が受信されると、該当ボタン２１０に対応するディスプレイ装置１００の現在設定状態に関する第１アイテムを表示し、第１入力に対応する信号に続いて入力装置２００からタッチパッド２２０を通じる第２入力に対応する信号が受信されると、前述の現在設定状態を変更するために選択可能な少なくとも一つの第２アイテムを表示する。
【００６９】
さらに具体的に、ディスプレイ装置１００は、入力装置２００のボタン２１０による既に設定された第１入力が行われると第１ＵＩ映像を表示し、第１ＵＩ映像が表示されている時に入力装置２００のタッチパッド２２０を通じる既に設定された第２入力が行われると第１ＵＩ映像より拡張された機能の第２ＵＩ映像を転換表示する。
【００７０】
ここで、第１ＵＩ映像は第１アイテムを含み、第２ＵＩ映像は第１アイテム及び少なくとも一つ以上の第２アイテムを含む。また、第２ＵＩ映像が複数のアイテムを含み、第１ＵＩ映像がこれら複数のアイテムの中で一部を含むという時、ディスプレイ装置１００はボタン２１０の操作による入力が行われると第１ＵＩ映像を表示する。また、ディスプレイ装置１００は第１ＵＩ映像が表示された状態で、タッチパッド２２０の操作による入力が行われると現在表示中である第１ＵＩ映像から第２ＵＩ映像に転換表示する。
【００７１】
第１ＵＩ映像は、第２ＵＩ映像に含まれるアイテムの中で一部アイテムだけを含み、第１ＵＩ映像に含まれるアイテムは、ディスプレイ装置１００の現在設定状態に対応する。従って、第２ＵＩ映像は、第１ＵＩ映像に比べて機能において拡張されたインターフェースを含む。
【００７２】
従って、ボタン２１０及びタッチパッド２２０を通じたユーザの入力操作の効率性を向上させることができる。
【００７３】
以下、本発明の実施形態に従って放送チャンネルを変更する方法に対して図３を参照して説明する。図３は入力装置２００の操作に従ってディスプレイ装置１００で放送チャンネルを変更する過程を示す順序図である。
【００７４】
図３に示すように、ディスプレイ装置１００に所定の第１チャンネルの映像が表示されている間にユーザによって入力装置２００のボタン２１０が操作されると（３１０）、ディスプレイ装置１００は、現在表示されている映像のチャンネルである第１チャンネルのチャンネル番号を含むＵＩ映像を表示する（４１０）。本ＵＩ映像は、前述した第１ＵＩ映像に該当する。
【００７５】
ボタン２１０が操作される間、即ちユーザがボタン２１０を続いて加圧している間、ディスプレイ装置１００は、第１チャンネルのチャンネル番号表示を維持する。
【００７６】
このようにユーザによって、ボタン２１０が操作される間又はディスプレイ装置１００が第１チャンネルのチャンネル番号を含むＵＩ映像を表示している間、ユーザによってタッチパッド２２０がタッチされると（３２０）、ディスプレイ装置１００は第１チャンネルと共に、ディスプレイ装置１００が表示可能な有効チャンネル番号を追加拡張させたＵＩ映像を表示する（４２０）。本ＵＩ映像は、前述した第２ＵＩ映像に該当し、第２ＵＩ映像の各有効チャンネル番号は、前述したアイテムに該当する。
【００７７】
即ち、ボタン２１０が操作されることによって、第１ＵＩ映像が表示され、第１ＵＩ映像が表示されている状態でタッチパッド２２０がタッチされることによって、第１ＵＩ映像から第２ＵＩ映像が転換表示される。
【００７８】
第２ＵＩ映像が表示されている間、ユーザがタッチパッド２２０の上をドラッグすると（３３０）、ディスプレイ装置１００は、ドラッグ方向及び移動量に従ってチャンネル番号の選択を転換する（４３０）。
【００７９】
所定のチャンネル番号が転換選択された状態で、ユーザがタッチパッド２２０の上をタップ（ｔａｐ）すると３４０、ディスプレイ装置１００は、転換選択されたチャンネル番号を適用して、該当チャンネル番号の映像を表示する４４０。ここで、タップ動作は、ユーザがタッチパッド２２０の上を一旦タッチしてリリース（ｒｅｌｅａｓｅ）する動作を言う。
【００８０】
このように、入力装置２００を通じたボタン２１０及びタッチパッド２２０の動作に連係して、ディスプレイ装置１００上に第１ＵＩ映像が表示されている状態で第１ＵＩ映像の拡張インターフェースである第２ＵＩ映像に転換表示が可能である。
【００８１】
以下、入力装置２００の操作に従ってディスプレイ装置１００に表示されるＵＩ映像の例示に関して図４乃至図６を参照して説明する。本実施形態での入力装置２００及びディスプレイ装置１００の動作は、前の図３の例示に従う。
【００８２】
図４は、入力装置２００のボタン２１０が加圧時に表示される第１ＵＩ映像５２０の例示図である。
【００８３】
図４に示すように、ディスプレイ装置１００にＣＨ６の映像５１０が表示されている状態でユーザがボタン２１０を加圧すると、ディスプレイ装置１００は現在表示されている映像５１０のチャンネル番号であるＣＨ６を示す第１ＵＩ映像５２０を表示する。
【００８４】
図５は、第１ＵＩ映像５２０が表示された状態でタッチパッド２２０のタッチに従って表示される第２ＵＩ映像５３０の例示図である。
【００８５】
図５に示すように、第１ＵＩ映像５２０が表示されている状態でユーザがタッチパッド２２０をタッチすれば、ディスプレイ装置１００は、現在表示されているアイテムのＣＨ６に対して、有効チャンネル番号のアイテムであるＣＨ２、ＣＨ３、ＣＨ４、ＣＨ５、ＣＨ７、ＣＨ８、ＣＨ９を追加に拡張させることによって第２ＵＩ映像５３０を転換表示する。
【００８６】
第２ＵＩ映像５３０が含む複数アイテムであるＣＨ２、ＣＨ３、ＣＨ４、ＣＨ５、ＣＨ６、ＣＨ７、ＣＨ８、ＣＨ９の中で、ディスプレイ装置１００は現在の表示映像５１０に対応するチャンネル番号のアイテムであるＣＨ６を選択状態で表示する。本選択状態は、アイテムをハイライトさせたり、カーソルで指示したり、該当アイテムの大きさを差別化して表示することによって示すことができる。
【００８７】
図６は、第２ＵＩ映像５３０が表示された状態でタッチパッド２２０のドラッグに従ってアイテム選択が転換されることを示す例示図である。
【００８８】
図６に示すように、第２ＵＩ映像５３０が表示された状態でユーザがタッチパッド２２０上のドラッグ動作を行えば、ディスプレイ装置１００は現在選択状態であるアイテムＣＨ６を基準として各アイテムのスクロール移動を行う５４０。このようなスクロール移動に従って、本図面の表示によると、複数のアイテムＣＨ４、ＣＨ５、ＣＨ６、ＣＨ７、ＣＨ８、ＣＨ９、ＣＨ１０、ＣＨ１１の中でいずれか一つのアイテムに対する選択状態が転換される。本図面によると、第２ＵＩ映像５３０でアイテムの選択状態がＣＨ６からＣＨ８に転換されていることを示す。
【００８９】
この状態でユーザがタッチパッド２２０のタップ動作を行うと、ディスプレイ装置１００は、現在の選択状態であるアイテムＣＨ８の選択が決定されたと判断し、ＣＨ８の映像５５０を転換して表示する。
【００９０】
一方、前の実施形態ではボタン２１０の種類に対して具体的に限定して説明しなかったが、入力装置２００の上に設けられるボタン２１０の特性又は種類によって、本発明の思想が限定されるものではない。例えば、ボタン２１０は、トグル動作によって、カーソルを上下又は左右に移動させるためのボタンで具現されることができるし、ユーザがこのような上下移動ボタンを加圧することによってディスプレイ装置１００は、第１ＵＩ映像５２０（図４参照）を表示することができる。又は、入力装置２００は、第１ＵＩ映像の表示のための別途のホットキー（ｈｏｔ−ｋｅｙ）が指定されることもできる。
【００９１】
一方、前述した実施形態ではチャンネル番号の変更方法を例えて説明したが、本発明の思想は多様な変更した具現が可能である。図７は、本発明の他の実施形態に従ってディスプレイ装置１００に表示される第１ＵＩ映像６２０の例示図である。
【００９２】
図７に示すように、現在に所定の映像６１０が表示されている間にユーザがボタン２１０をトグルすれば、ディスプレイ装置１００は現在の映像６１０の表示モードを示すアイテムを含む第１ＵＩ映像６２０を表示する。例えば、映像の表示モードが、スポーツ（ｓｐｏｒｔｓ）、映画（ｍｏｖｉｅ）、ダイナミック（ｄｙｎａｍｉｃ）、スタンダード（ｓｔａｎｄａｒｄ）の四種類で分類され、現在表示モードがダイナミックモードとすれば、第１ＵＩ映像６２０は、ダイナミックモードを示すアイテムだけを含む。
【００９３】
図８は図７のように、第１ＵＩ映像６２０が表示された状態でユーザがボタン２１０を再びトグルした場合に第１ＵＩ映像６３０の変化を示す例示図である。
【００９４】
図８に示すように、すでに第１ＵＩ映像６２０（図７を参照）が表示された状態でユーザがボタン２１０を再びトグルすると、ディスプレイ装置１００は、トグル動作に従って第１ＵＩ映像６３０をダイナミックモードでない他のモード、例えば、スタンダードモードを示すアイテムに転換されるように表示する。即ち、ボタン２１０のトグル動作に従って第１ＵＩ映像６３０に含まれるアイテムが転換されることができる。
【００９５】
図９は、第１ＵＩ映像６３０が表示された状態でユーザがタッチパッド２２０をタッチした場合に表示される第２ＵＩ映像６４０の例示図である。
【００９６】
図９に示すように、図７の第１ＵＩ映像６２０又は図８の第１ＵＩ映像６３０が表示された状態でユーザがタッチパッド２２０をタッチすれば、ディスプレイ装置１００は複数の映像表示モード、例えば、スポーツ、映画、ダイナミック、スタンダードモードに各々対応する複数のアイテムを含む第２ＵＩ映像６４０を表示する。
【００９７】
第２ＵＩ映像６４０が表示された状態でユーザがタッチパッド２２０を上下でドラッグすれば、ディスプレイ装置１００はドラッグ動作に対応して複数のアイテムの中でいずれか一つに対する選択状態が転換されるように表示する。
【００９８】
以上、多様な実施形態を通じて本発明に対して図示し説明したが、本発明はこれに限定されず、本発明の属する技術分野の通常の知識を有する人なら本発明の原則や精神に外れることなく本発明の一実施形態を変形し得ることを分かることができる。発明の範囲は、特許請求の範囲とその均等物によって定められる。
【符号の説明】
【００９９】
１  ディスプレイシステム
１００  ディスプレイ装置
１１０  映像受信部
１２０  映像処理部
１３０  ディスプレイ部
１４０  第１通信部
１５０  第１制御部
２００  入力装置
２１０  ボタン
２２０  タッチパッド
２３０  第２通信部
２４０  第２制御部
【図１】
2013143774.tif 000003
【図２】
2013143774.tif 000004
【図３】
2013143774.tif 000005
【図４】
2013143774.tif 000006
【図５】
2013143774.tif 000007
【図６】
2013143774.tif 000008
【図７】
2013143774.tif 000009
【図８】
2013143774.tif 000010
【図９】
2013143774.tif 000011